(57)【要約】【課題】  左右に分離した分離甲被片の間隔調節を１度行うのみで、履脱が迅速に行える運動靴を得る。【解決手段】甲被（２）の後部を左右に分離し、該左右に分離した分離甲被片（２ａ，２ｂ）の前後の間隔を個別に調節する複数の一次連結具（５）を設け、各一次連結具（５）の連結作動を保持した状態で甲被（２）の後部を分離又は連結する二次連結具（１４）を設ける。【選択図】図１
2007159881.tif 000002
【特許請求の範囲】
【請求項１】
甲被（２）の後部を左右に分離し、該左右に分離した分離甲被片（２ａ，２ｂ）の前後の間隔を個別に調節する複数の一次連結具（５）を設け、各一次連結具（５）の連結作動を保持した状態で甲被（２）の後部を一括して分離又は連結する二次連結具（１４）を設けたことを特徴とする運動靴。
【請求項２】
一次連結具（５）は、一方の分離甲被片（２ａ）に複数のバンド（６，７）を並列に設けるとともに、各バンド（６，７）の基部表面に表面ファスナー（８，９）を、各バンド（６，７）の先端部裏面に裏面ファスナー（１０，１１）をそれぞれ設け、他方の分離甲被片（２ｂ）に前記バンド（６，７）が摺動可能に嵌合する環体（１２，１３）を設けてなり、二次連結具（１４）は、前記バンド（６，７）のうち、一つのバンド（７）の先端部に残余のバンド（６）の先端部方向に向かって突出する台片（１５）を一体的に設け、該台片（１５）の表面に前記残余の裏面ファスナー（１０）と係脱可能な第１面ファスナー（１６）を、該台片（１５）の裏面に前記残余の表面ファスナー（８）と係脱可能な第２面ファスナー（１７）をそれぞれ設けたことを特徴とする請求項１記載の運動靴。
【請求項３】
一次連結具（２２）は、左右の分離甲被片（２１ａ，２１ｂ）を面ファスナー（２３ａ，２３ｂ）を介して連結又は分離可能なバンド（２３）とし、二次連結具（２５）は、前記左右の分離甲被片（２１ａ，２１ｂ）の一方（２１ｂ）を前記バンド（２３）の側方にて左右に分離するとともに、該分離部を開閉するスライドファスナー（２６）を設けたことを特徴とする請求項１記載の運動靴。
【発明の詳細な説明】
【技術分野】
【０００１】
本発明は、左右に分離した分離甲被片の間隔を着用者の足の大きさ、形状に合わせて容易に調節できるようにした運動靴に関するものである。
【背景技術】
【０００２】
従来の技術として、左右に分離した分離甲被片の一方に、第１のゴムバンドに連結されかつ先端部の裏面に雌面ファスナーを有するバンドと、第２のゴムバンドに連結された雄面ファスナーとをそれぞれ前後に複数設け、他方の分離甲被片に前記バンドが摺動可能に嵌合する環体を前後に複数設け、前記各バンドを前記各環体に挿通して折り返し、該各バンドの先端部の雌面ファスナーを前記雄面ファスナーに係合させるようにしたものがあった。
【０００３】
前記従来のものは、各バンドの折り返し長さを調節することにより、左右に分離した分離甲被片同士の前後の基準間隔を着用者の足の大きさ、形状に合わせることができる。また、第１のゴムバンド及び第２のゴムバンドが伸縮することによつて締め圧を均一にすることができる。
しかしながら、前記従来のものは、運動靴を履脱する都度、各バンドの係脱及び折り返し長さの調節を個々に行う必要があり、履脱操作に手数を要するものであった。特に障害者にあっては前記履脱が困難になるものであった。
【特許文献１】特開平１１−４７０４号公報
【発明の開示】
【発明が解決しようとする課題】
【０００４】
本発明は、左右に分離した分離甲被片の間隔調節を１度行うのみで、履脱が迅速に行える新規な運動靴を得ることを目的とする。
【課題を解決するための手段】
【０００５】
本発明は、上記目的を達成するために以下の如く構成したものである。即ち、請求項１に係る発明は、甲被の後部を左右に分離し、該左右に分離した分離甲被片の前後の間隔を個別に調節する複数の一次連結具を設け、各一次連結具の連結作動を保持した状態で甲被の後部を一括して分離又は連結する二次連結具を設ける構成にしたものである。
請求項２に係る発明は、前記一次連結具は、一方の分離甲被片に複数のバンドを並列に設けるとともに、各バンドの基部表面に表面ファスナーを、各バンドの先端部裏面に裏面ファスナーをそれぞれ設け、他方の分離甲被片に前記バンドが摺動可能に嵌合する環体を設けてなり、二次連結具は、前記バンドのうち、一つのバンドの先端部に残余のバンドの先端部方向に向かって突出する台片を一体的に設け、該台片の表面に前記残余の裏面ファスナーと係脱可能な第１面ファスナーを、該台片の裏面に前記残余の表面ファスナーと係脱可能な第２面ファスナーをそれぞれ設ける構成にしたものである。
請求項３に係る発明は、前記一次連結具は、左右の分離甲被片を面ファスナーを介して連結又は分離可能なバンドとし、二次連結具は、前記左右の分離甲被片の一方を前記バンドの側方にて左右に分離するとともに、該分離部を開閉するスライドファスナーを設ける構成にしたものである。
【発明の効果】
【０００６】
本発明の請求項１に係る発明は、一次連結具によって左右の分離甲被片の前後の間隔を着用者の足の形状、大きさに調節した後、二次連結具を解除操作すると甲被の後部が分離し、着用者は運動靴を容易に脱ぐことができる。また、着用者が運動靴を履き、前記二次連結具を締結操作すると甲被の後部が前記一次連結具で設定された間隔を保持した状態で連結され、着用者の足にフィットすることになる。このため、左右の分離甲被片の間隔調節を１度行うのみで済み、運動靴の履脱が迅速に行えることになる。
請求項２に係る発明は、一つのバンドを折り返してその先端部の裏面ファスナー及び台片の第１面ファスナーをバンドの基部に設けた表面ファスナーに係合させ、次いで残余のバンドの折り返し長さを調節してその先端部の裏面ファスナーを前記台片の第２面ファスナーに係合させると、左右の分離甲被片の間隔が着用者の足の形状、大きさに設定される。この状態で前記台片を有する一つのバンドの先端部を前記表面ファスナーに対して離脱、または係合させると、各バンドが前記設定された長さに保持された状態で前記表面ファスナーに対して一括して離脱、または係合され、前述と同様に運動靴の履脱が迅速に行えることになる。
請求項３に係る発明は、各バンドによって左右の分離甲被片の間隔を着用者の足の形状、大きさに設定し、この状態でスライドファスナーを開閉操作すると、一方の分離甲被片に設けた分離部が開閉し、運動靴の履脱が迅速に行えることになる。そして、スライドファスナーを閉操作した際には、左右の分離甲被片の間隔が前記各バンドで設定された間隔に復帰することになる。
【発明を実施するための最良の形態】
【０００７】
以下本発明の実施例を図面に基づいて説明する。図において、図１は本発明の第１実施例によるベルト調節前の状態を示す平面図、図２はベルト調節初期の状態を示す平面図、図３はベルト調節終期の状態を示す平面図、図４はベルト調節後におけるベルト開放状態を示す平面図、図５は本発明の第２実施例を示す平面図である。
【０００８】
図１において、１は左足用の運動靴、２は足の甲部を覆う甲被である。該甲被２は足の挿入側（後部側）を左右に分離し、該分離した左右の分離甲被片２ａ，２ｂを一次連結具５及び二次連結具１４により連結する。
【０００９】
前記一次連結具５は以下の如くなっている。即ち、左部（一方）の分離甲被片２ａの前部と後部とに２個のバンド６，７を前後に所定の間隔をおいて連結し、各バンド６，７の基部表面に雄形の表面ファスナー８，９を、各バンド６，７の先端部裏面に雌形の裏面ファスナー１０，１１をそれぞれ逢着する。また、右部（他方）の分離甲被片２ｂの前部と後部とに枠状に形成した２個の環体１２，１３を、前記各バンド６，７と対応する如く前後に配置して取り付け、各環体１２，１３に前記バンド６，７を個々に挿通するとともに、その挿通量を調節して折り曲げ、各バンド６，７の先端部を、表面ファスナー８及び後述の第１面ファスナー１６に係合させることにより、左右の分離甲被片２ａ，２ｂの間隔を前後に亘たって個別に調節する。なお、前記バンド６，７及び環体１２，１３は２個以上としてもよい。
【００１０】
前記二次連結具１４は以下の如くなっている。即ち、前記バンド６，７のうち、後部のバンド７の先端部を前方に向けてＬ形に屈曲させ、該後部のバンド７の先端部から前方に突出する突出部を台片１５とし、該台片１５の表面に、図２に示すように、雄形の第１面ファスナー１６を逢着し、該台片１５の裏面に、図１、図４に示すように、雌形の第２面ファスナー１７をそれぞれ逢着する。
【００１１】
前記第１面ファスナー１６は、前部のバンド６の先端部裏面に取り付けた裏面ファスナー１０と係脱可能とし、前記第２面ファスナー１７は、前部のバンド６の基部表面に取り付けた表面ファスナー８と係脱可能とする。１８は、前後の分離甲被５，６の間隙部を閉塞する舌片である。
【００１２】
次に、前記第１実施例の使用態様について説明する。まず、図２に示すように、後部のバンド７の環体１３に対する挿通量を調節して折り返し、その先端部を、裏面ファスナー１１、第２面ファスナー１７、表面ファスナー８，９を介して各バンド６，７の基部に係合させ、左右の分離甲被片２ａ，２ｂの後部側の間隔を設定する。
【００１３】
次いで、図３に示すように、前部のバンド６の環体１２対する挿通量を調節して折り返し、その先端部を、裏面ファスナー１０、第１面ファスナー１６を介して後部の各バンド７の台片１５に係合させ、左右の分離甲被片２ａ，２ｂの前部側の間隔を設定する。これにより、前記左右の分離甲被片２ａ，２ｂの後部及び前部の間隔を着用者の足に対応させる。
【００１４】
そして、前記調節した運動靴を脱ぐ際には、二次連結具１４の係合を解除する。即ち、図４に示すように、前部のバンド６の先端部を第１面ファスナー１６に係合、つまり台片１５に係合させた状態で、後部のバンド７の先端部の裏面ファスナー１１及び台片１５の第２面ファスナー１７を表面ファスナー８，９から離脱させる。さすれば、各バンド６，７の先端部が一気に開放されて左右の分離甲被片２ａ，２ｂが開き、運動靴を容易に脱ぐことができる。
【００１５】
次に、前記運動靴を履く際には、後部のバンド７を折り曲げ、その先端部及び台片１５を前記表面ファスナー８，９に係合させて左部の分離甲被片２ａに連結すると、前部のバンド６が台片１５を介して同時に折れ曲がり、該バンド６の先端部が台片１５を介して左部の分離甲被片２ａに連結されることになる。これにより、運動靴を迅速に履くことができると共に、左右の分離甲被片２ａ，２ｂの後部及び前部の間隔が初期設定された状態に保持されることになる。
【００１６】
図５は第２実施例を示す。図５において、２０は右足用の運動靴、２１は足の甲部を覆う甲被である。該甲被２１は足の挿入側（後部側）を左右に分離し、該分離した左右の分離甲被片２１ａ，２１ｂを一次連結具２２及び二次連結具２５により連結する。
【００１７】
前記一次連結具２２は、右部の分離甲被片２１ｂの縁部に５個のバンド２３を前後に配列して逢着するとともに、該バンド２３の基部表面に雄形の表面ファスナー２３ａを固着し、該バンド２３の先端部裏面に雌形の裏面ファスナー２３ｂを固着する。また、左部の分離甲被片２１ｂの縁部に５個の環体２４を前後に配列して連結してなる。
【００１８】
前記一次連結具２２は、各バンド２３を各環体２４に個別に挿通するとともに、その挿通量を調節して折り曲げ、各バンド２３の先端部を、裏面ファスナー２３ｂを介して前記表面ファスナー２３ａに係合させることにより、左右の分離甲被片２１ａ，２１ｂの間隔を前後に亘たって個別に調節する。
【００１９】
前記第２連結具２５は、右部の分離甲被片２１ｂを前記各バンド２３の側方にて左右に分離するとともに、該分離部にスライドファスナー２６を取り付けてなる。これにより、前記スライドファスナー２６によって前記分離部を開閉すると、前記一次連結具２２による左右の分離甲被片２１ａ，２１ｂの連結に左右されることなく、甲被２１が一括して開閉され、運動靴の履脱が簡便に行えることになる。
【図面の簡単な説明】
【００２０】
【図１】本発明の第１実施例によるベルト調節前の状態を示す平面図である。
【図２】ベルト調節初期の状態を示す平面図である。
【図３】ベルト調節終期の状態を示す平面図である。
【図４】ベルト調節後におけるベルト開放状態を示す平面図である。
【図５】本発明の第２実施例を示す平面図である。
【符号の説明】
【００２１】
１    運動靴
２    甲被
２ａ，２ｂ  分離甲被片
５    一次連結具
６，７  バンド
８，９  表面ファスナー
１０，１１  裏面ファスナー
１２，１３  環体
１４    二次連結具
１５    台片
１６    第１面ファスナー
１７    第２面ファスナー
１８    舌片
２０    運動靴
２１    甲被
２１ａ，２１ｂ  分離甲被片
２２    一次連結具
２３    バンド
２３ａ  表面ファスナー
２３ｂ  裏面ファスナー
２４    環体
２５    第２連結具
２６    スライドファスナー
【図１】
2007159881.tif 000003
【図２】
2007159881.tif 000004
【図３】
2007159881.tif 000005
【図４】
2007159881.tif 000006
【図５】
2007159881.tif 000007